【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
画像データの撮影を実行する画像取得部と、
前記画像取得部の取得画像を記録する記憶部と、
前記記憶部に記録した記録データ、または前記画像取得部によって取得された画像データを、ネットワークを介してデータ受信装置に送信する通信制御部と、
前記データ受信装置から取得するコンテンツリストを利用して、前記データ受信装置の保持コンテンツと、前記記憶部の格納コンテンツとの重複コンテンツを検証する重複リスト作成部と、
前記データ受信装置に対して送信するコンテンツの選択画面に、前記重複コンテンツを識別可能としたコンテンツ識別マークを設定した表示情報を表示する表示部と、
を有することを特徴とする通信処理装置。
【請求項２】
前記重複リスト作成部は、
前記記憶部に格納されたコンテンツのコンテンツリストを生成して前記データ受信装置に送信し、前記コンテンツリストに、データ受信装置の保持コンテンツを識別可能とした情報を付加したコンテンツリストの受信により、重複コンテンツの検証を行う構成であることを特徴とする請求項１に記載の通信処理装置。
【請求項３】
前記重複リスト作成部は、
コンテンツリスト作成要求を前記データ受信装置に送信し、データ受信装置の保持コンテンツに対応するコンテンツリストを受信し、受信リストと前記記憶部に格納されたコンテンツとの照合により、重複コンテンツの検証を行う構成であることを特徴とする請求項１に記載の通信処理装置。
【請求項４】
前記通信処理装置は、さらに、
前記データ受信装置に対するデータ受信装置側記憶手段の空き容量の問い合わせによりデータ受信装置側記憶手段の空き容量情報を取得する空きデータ容量取得部を有し、
前記表示部は、データ受信装置に対して送信するコンテンツの選択画面に、前記空きデータ容量を含む表示情報を表示する構成であることを特徴とする請求項１に記載の通信処理装置。
【請求項５】
前記通信処理装置は、さらに、
前記データ受信装置に対するデータ転送における転送時間算出処理を実行する転送時間算出部を有し、
前記表示部は、データ受信装置に対して送信するコンテンツの選択画面に、前記転送時間算出部の算出した転送時間情報を表示する構成であることを特徴とする請求項１に記載の通信処理装置。
【請求項６】
前記通信処理装置は、さらに、
前記データ受信装置からの要求コンテンツ情報を取得する要求コンテンツ情報取得部を有し、
前記表示部は、データ受信装置に対して送信するコンテンツの選択画面に、前記要求コンテンツ情報取得部の取得した要求コンテンツを識別する識別マークを表示する構成であることを特徴とする請求項１に記載の通信処理装置。
【請求項７】
前記通信処理装置は、さらに、
前記記憶部に記録された記録データを前記データ受信装置に対してファイル転送を行うファイル転送制御部を有する構成であることを特徴とする請求項１に記載の通信処理装置。
【請求項８】
前記通信処理装置は、さらに、
前記記憶部に記録した記録データ、または前記画像取得部によって取得された画像データを前記表示部に表示するとともに、ネットワークを介してデータ受信装置に対するコンテンツ送信の制御処理を実行する制御部を有し、
前記重複コンテンツリスト作成部において重複コンテンツであると判定したコンテンツについては、コンテンツ送信を行うことなく、コンテンツの再生開始コマンドを前記データ受信装置に送信する処理を実行する構成であることを特徴とする請求項１に記載の通信処理装置。
【請求項９】
前記制御部は、
前記データ受信装置に対する再生開始コマンドの送信時間から遅延させて、自装置におけるコンテンツ再生を開始する構成であることを特徴とする請求項８に記載の通信処理装置。
【請求項１０】
データ送信装置からデータ受信を行う通信処理装置であり、
前記データ送信装置からのコンテンツリスト要求に応じて、自装置の記憶部の格納コンテンツのコンテンツリストを生成して出力するコンテンツリスト作成部と、
前記コンテンツリスト作成部の作成したコンテンツリストの送信、および前記データ送信装置からのデータ受信を行う通信制御部と、
を有することを特徴とする通信処理装置。
【請求項１１】
前記コンテンツリスト作成部は、
前記データ送信装置から受信するコンテンツリストに、自装置の保持コンテンツを識別可能とした情報を付加したコンテンツリストを作成する構成であることを特徴とする請求項１０に記載の通信処理装置。
【請求項１２】
前記コンテンツリスト作成部は、
前記データ送信装置から受信するコンテンツリスト作成要求に応じて、自装置の保持コンテンツに対応するコンテンツリストを作成する構成であることを特徴とする請求項１０に記載の通信処理装置。
【請求項１３】
前記通信処理装置は、さらに、
前記データ送信装置から受信した再生モード情報が重複再生モードである場合は、自装置の保持コンテンツの再生処理を実行し、
受信した再生モード情報が重複再生モードでない場合は、前記データ送信装置からの受信コンテンツの再生処理を実行する再生制御部を有することを特徴とする請求項１０に記載の通信処理装置。
【請求項１４】
撮像装置において実行する情報処理方法であり、
通信制御部が、記憶部に記録した記録データ、または画像取得部によって取得された画像データを、ネットワークを介してデータ受信装置に送信する通信制御ステップと、
重複リスト作成部が、前記データ受信装置から取得するコンテンツリストを利用して、前記データ受信装置の保持コンテンツと、前記記憶部の格納コンテンツとの重複コンテンツを検証する重複リスト作成ステップと、
表示部が、前記データ受信装置に対して送信するコンテンツの選択画面に、前記重複コンテンツを識別可能としたコンテンツ識別マークを設定した表示情報を表示する表示ステップと、
を有することを特徴とする情報処理方法。
【請求項１５】
前記重複リスト作成ステップは、
前記記憶部に格納されたコンテンツのコンテンツリストを生成して前記データ受信装置に送信し、前記コンテンツリストに、データ受信装置の保持コンテンツを識別可能とした情報を付加したコンテンツリストの受信により、重複コンテンツの検証を行うステップであることを特徴とする請求項１４に記載の情報処理方法。
【請求項１６】
前記重複リスト作成ステップは、
コンテンツリスト作成要求を前記データ受信装置に送信し、データ受信装置の保持コンテンツに対応するコンテンツリストを受信し、受信リストと前記記憶部に格納されたコンテンツとの照合により、重複コンテンツの検証を行うステップであることを特徴とする請求項１４に記載の情報処理方法。
【請求項１７】
データ送信装置からデータ受信を行う通信処理装置において実行する情報処理方法であり、
コンテンツリスト作成部が、前記データ送信装置からのコンテンツリスト要求に応じて、自装置の記憶部の格納コンテンツのコンテンツリストを生成して出力するコンテンツリスト作成ステップと、
通信制御部が、前記コンテンツリスト作成部の作成したコンテンツリストの送信、および前記データ送信装置からのデータ受信を行う通信制御ステップと、
を有することを特徴とする情報処理方法。
【請求項１８】
前記コンテンツリスト作成ステップは、
前記データ送信装置から受信するコンテンツリストに、自装置の保持コンテンツを識別可能とした情報を付加したコンテンツリストを作成するステップであることを特徴とする請求項１７に記載の情報処理方法。
【請求項１９】
撮像装置において情報処理を実行させるコンピュータ・プログラムであり、
通信制御部に、記憶部に記録した記録データ、または画像取得部によって取得された画像データを、ネットワークを介してデータ受信装置に送信させる通信制御ステップと、
重複リスト作成部に、前記データ受信装置から取得するコンテンツリストを利用して、前記データ受信装置の保持コンテンツと、前記記憶部の格納コンテンツとの重複コンテンツを検証させる重複リスト作成ステップと、
表示部に、前記データ受信装置に対して送信するコンテンツの選択画面に、前記重複コンテンツを識別可能としたコンテンツ識別マークを設定した表示情報を表示させる表示ステップと、
を有することを特徴とするコンピュータ・プログラム。
【請求項２０】
データ送信装置からデータ受信を行う通信処理装置において情報処理を実行させるコンピュータ・プログラムであり、
コンテンツリスト作成部に、前記データ送信装置からのコンテンツリスト要求に応じて、自装置の記憶部の格納コンテンツのコンテンツリストを生成して出力させるコンテンツリスト作成ステップと、
通信制御部が、前記コンテンツリスト作成部の作成したコンテンツリストの送信、および前記データ送信装置からのデータ受信を行わせる通信制御ステップと、
を有することを特徴とするコンピュータ・プログラム。
【手続補正２】
【補正対象書類名】明細書
【補正対象項目名】００２８
【補正方法】削除
【補正の内容】
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】